(57)【特許請求の範囲】
【請求項１】
水素精製用３塔式ＰＳＡ装置に付設されたオフガスタンクのオフガスを水素製造用改質器のバーナに供給するに際して、各吸着塔間の工程が切り替わるときのオフガスタンクからの出口側導管中の最小圧力を基準設定圧力とし、オフガスタンクからの出口側導管中の実圧力が基準設定圧力よりも大きければオフガス流量調整バルブの開度を所定の微小刻みで増加させ、実圧力が基準設定圧力よりも小さければオフガス流量調整バルブの開度を所定の微小刻みで減少させる制御を行うことを特徴とする水素精製用３塔式ＰＳＡ装置におけるオフガスタンクからのオフガス圧力の制御方法。
【請求項２】
上記オフガス流量調整バルブの開度の所定の微小刻みの増減が、該バルブの全開に対して０．１％刻みの増減であることを特徴とする請求項１に記載の水素精製用３塔式ＰＳＡ装置におけるオフガスタンクからのオフガス圧力の制御方法。
【発明の詳細な説明】
【０００１】
【発明の属する技術分野】
本発明は、水素精製用３塔式ＰＳＡ装置（圧力スイング吸着装置）に付設したオフガスタンクのオフガスを炭化水素ガスの水蒸気改質による水素製造用改質器のバーナに供給するに際して、オフガスタンクからのオフガスを該バーナへ安定して供給するようにしてなる水素精製用３塔式ＰＳＡ装置におけるオフガスタンクからのオフガス圧力の制御方法に関する。
【０００２】
【従来の技術】
水素は不飽和結合への水素添加用、酸水素炎用その他各種用途に供される基礎原料であり、燃料電池用の燃料としても利用される。水素の工業的製造方法の一つであるガス体燃料の変成法は通常炭化水素ガスの水蒸気改質により行われる。水蒸気改質法では改質器が用いられ、天然ガスや都市ガス等の炭化水素ガスがＮｉ系、Ｒｕ系その他の触媒を用いる接触反応により改質ガスへ変えられる。改質器は概略加熱部と改質部とからなり、加熱部（バーナ）からの熱（ΔＨ）が改質部に供給され、改質部で炭化水素ガスが接触反応により改質ガスへ変えられる。
【０００３】
ここで得られる改質ガスには主成分である水素のほか、ＣＯ、ＣＯ2 等の副生成分や余剰Ｈ2Ｏ、また未改質の炭化水素が含まれている。このため改質ガスを例えば燃料電池にそのまま使用したのでは電池性能を阻害してしまう。例えばリン酸型燃料電池で用いる水素ガス中のＣＯは１ｖｏｌ％程度、固体高分子型燃料電池では１００ｐｐｍ程度が限度であり、これらの値を越えると電池性能が著しく劣化する。また不飽和結合への水素添加用或いは酸水素炎用の水素は通常ボンベに詰めたものが使用されており、その純度は９９．９９９ｖｏｌ％以上が要求されている。
【０００４】
したがって改質ガスは精製しそれら副生成分を除去しておく必要がある。ところで、水素精製法の一つであるＰＳＡ法では、不純物を吸着剤相に加圧下で吸着させて分離し、常圧付近まで減圧して吸着不純物を脱着させるが、３塔式ＰＳＡ法においては吸着、減圧、均圧、ブローダウン、パージ、均圧、昇圧等の工程が繰り返され、ブローダウン工程及びパージ工程ではオフガスが発生する。
【０００５】
図１は、水素精製用３塔式ＰＳＡ装置における各吸着塔の工程フロー及び運転シーケンスの概略を示す図である。図１中、上部の図は下部の表におけるステップ１から３までの工程を示し、下部の表には各工程の進行に伴う各吸着塔における圧力変化を示している。炭化水素の水蒸気改質器からＣＯ変成器を経た改質ガスはＡ塔に供給され、ここでＨ2Ｏ、ＣＯ2、ＣＯ、ＣＨ4 等の不純物の吸着が行われ、吸着されない水素が精製水素となる。
【０００６】
その間、Ｂ塔では減圧、均圧、ブローダウン工程が行われ、Ｃ塔ではパージ、均圧、昇圧工程が行われる。このうちＣ塔におけるパージから昇圧までの工程は、この段階でのＢ塔におけるように減圧からブローダウンまでの工程を経た後の工程である。改質ガスの供給は、Ａ塔において不純物が飽和して破過する前に、自動的にＣ塔に切り替えられる。この時点で、Ａ塔は減圧、均圧、ブローダウン工程へ切り替えられ、またＢ塔はパージ、均圧、昇圧工程へ切り替えられる。以降これら工程を順次自動的に繰り返して連続的に操作される。そしてブローダウン工程、パージ工程で発生するオフガスはオフガスタンクへ送られる。
【０００７】
【発明が解決しようとする課題】
オフガスタンクの圧力変動は、改質器やＣＯ変成器等の水素製造装置系内圧力と直結しているために改質、変成、ＰＳＡすべての運転に悪影響を及ぼすために極力抑える必要がある。また、オフガスタンクに貯えられたオフガスは改質器のバーナ燃料として再利用されるため、バーナ燃焼状態を良好に保つためには、安定したオフガス流量（タンク出口の）が必要とされる。この点、３塔式ＰＳＡ装置では４塔式に比べてオフガスの流量変動が大きいため、特にその制御方法には注意する必要がある。従来のオフガス制御方法としては、オフガスタンクの圧力が一定となるように制御する方法、オフガス流量が一定となるように制御する方法がある。
【０００８】
オフガスタンクの圧力が一定になるようにバルブ開度を制御する方法では、系内圧力の変動を抑え、装置全体の運転時の安定性を向上させるというメリットがあるが、改質器バーナ用燃料として供給されるオフガス流量の変動は大きく、このためバーナの燃焼状態は悪化する。オフガス流量を一定に制御すると、バーナの燃焼状態は良好となるが、装置系内圧力の変動は大きくなり、装置の性能上悪影響を及ぼす。
【０００９】
このような問題を回避するためには、オフガスタンク内の圧力変化を可及的に抑制する必要があり、このためにはタンク容量を大きくせざるを得ない。本発明者等は、この問題点を解決すべく鋭意研究、検討した結果、各吸着塔の工程が切り替わるときの当該最小圧力を基準として、オフガスタンクの出口側流量調整バルブの開度を増減させることでオフガスの圧力変動幅を小さくでき、これによりオフガスを改質器バーナへ安定して供給し得ることを見い出した。
【００１０】
すなわち、本発明は、水素精製用３塔式ＰＳＡ装置に付設されたオフガスタンクのオフガスを改質器バーナに供給するに際して、各吸着塔の工程が切り替わるときの、すなわちオフガスタンクの圧力が最小となるときの当該最小圧力を基準として、オフガスタンク出口側のオフガス流量調整バルブの開度を増減させることにより、オフガスタンクからのオフガスの圧力変動を抑え、これによりオフガスを改質器バーナへ安定して供給するようにしてなるオフガスタンクからのオフガス圧力の制御方法を提供することを目的とする。
【００１１】
【課題を解決するための手段】
本発明は、水素精製用３塔式ＰＳＡ装置に付設されたオフガスタンクのオフガスを水素製造用改質器のバーナに供給するに際して、オフガスタンクの圧力が最小となるときの当該最小圧力を基準として、オフガスタンク下流側のオフガス流量調整バルブの開度を所定の微小刻みで増減させることによりオフガスタンクからのオフガス圧力を制御することを特徴とする水素精製用３塔式ＰＳＡ装置におけるオフガスタンクからのオフガス圧力の制御方法を提供する。
【００１２】
【発明の実施の形態】
本発明においては、オフガスタンクを付設した３塔式ＰＳＡ装置において、各吸着塔の工程が切り替わるときのオフガスタンク内の圧力、すなわちオフガスタンクの最小圧力を基準として、オフガスタンクの出口側すなわち下流側のオフガス流量調整バルブの開度を所定の微小刻みで増減させる。
【００１３】
図１で云えば、水素精製用３塔式ＰＳＡ装置操作時の各ステップにおけるオフガスタンク内の圧力は、ステップ１〜９における３、６、９の各工程終了時に最小となる。本発明においては、オフガスタンク内の当該最小圧力を基準としてタンク出口側導管に配置されたオフガス流量調整バルブの開度をその全開に対して所定の微小刻みで増減させることでオフガスタンクからのオフガスの圧力変動を抑え、これにより該オフガスを改質器のバーナへ安定して供給する。
【００１４】
図２は本発明におけるオフガス圧力の制御態様を示す図であり、オフガスタンクの出口導管に圧力計（ＰＩＣＡ）が配置される。図２中ＦＩは流量計である。本発明では上記最小圧力を例えば０．２ｋｇ/ｃｍ2Ｇにしたいとき、設定値を０．２ｋｇ/ｃｍ2Ｇとする。そして圧力が最小になるステップ、図１で云えば３、６、９のステップの工程終了時にその設定値との比較を行い、ＰＩＣＡで計測される実圧力が該設定値よりも大きければオフガス流量調整バルブＺの開度をその全開に対して（該バルブの全開を１００とした時に対する割合として）例えば０．１％刻みで開ける方向に制御し、ＰＩＣＡで計測される実圧力が該設定値よりも小さければオフガス流量調整バルブＺの開度をバルブＺの全開度に対して例えば０．１％刻みで閉じる方向に制御する。
【００１５】
この場合、バルブＺの開度は全工程において基本的には一定開度であるが、３、６、９のステップの工程終了時の実圧力すなわちＰＩＣＡで計測される圧力値だけを瞬時に設定圧力と比較して、小さく開けたり、小さく閉じたりする。バルブアクションが起こるのは、ステップ３、６、９の終了時の一瞬であり、しかもその制御は例えば０．１％という微小で微妙なコントロールを行う。これによってオフガスタンクから改質器バーナまでの全体の圧力バランスを崩すことなく制御することができる。以上の制御は別途設けたマイクロコンピュータ等により行ってもよく、圧力計にそのための制御機構を併置してもよい。
【００１６】
図３は上記のような本発明による制御を行った場合におけるオフガス圧力の経時的変動を示した図である。図３中最下部に“圧力”として示す部分がオフガスタンクからのオフガスの圧力変動の経過である。図３のとおり、オフガス圧力に上下の変動はあるが、大きな変動はなく抑えられる。これによりオフガスタンクからのオフガスを圧力変動を少なくして改質器の燃料として使用することができるため、改質器におけるバーナの燃焼状態を悪化させることがない。
【００１７】
【実施例】
以下、実施例に基づき本発明をさらに詳しく説明するが、本発明が実施例に限定されないことはもちろんである。図４は実施例において使用した装置の概略を示す図である。比較例として従来のように調整バルブ（弁）Ｙ、Ｚの開度を一定とした場合を併せて記載している。
【００１８】
吸着塔Ａ、Ｂ、Ｃのそれぞれに混合床として活性炭、ゼオライトを充填した。原料ガスとして都市ガスを水蒸気改質する改質器からＣＯ変成器を経た改質ガスを用いた。図５中、Ｔはオフガスタンク、Ｆはバーナ燃料ガス導管、Ｋはバーナ燃焼用空気導管である。なお、図中ＣＯ変成器の記載は省略している。
【００１９】
水素製造用改質器からの改質ガスは、水素を主成分とし、ＣＯ、ＣＨ4、ＣＯ2、Ｎ2 などが含まれており、温度は２０〜４０℃の範囲である。各吸着塔Ａ〜Ｃにおける吸着時間は２００〜３００ｓｅｃ、減圧及びパージ時間は８０〜１２０ｓｅｃ、ブローダウン時間は６０〜１１０ｓｅｃ、均圧時間は１５〜４０ｓｅｃの範囲とした。吸着時の圧力は４〜９．９ｋｇ/ｃｍ2Ｇ、減圧時の圧力は２〜６ｋｇ/ｃｍ2Ｇ、均圧時の圧力は１〜５ｋｇ/ｃｍ2Ｇ、ブローダウン時の圧力は０〜２ｋｇ/ｃｍ2Ｇ、昇圧時の圧力は４〜９．９ｋｇ/ｃｍ2Ｇの範囲で実施した。
【００２０】
（１）Ａ塔＝吸着、Ｂ塔＝減圧、Ｃ塔＝パージ
弁Ａ１、Ａ２を開とし、改質ガスをＡ塔に供給して吸着操作を実施した。その間、Ｂ塔では順次減圧、均圧、ブローダウン工程を行い、Ｃ塔では順次パージ、均圧、昇圧工程を行った。その間弁Ｂ４、Ｘ、Ｃ３、Ｃ５を開とし、バルブＹ、バルブＺの開度を一定とした。この操作中、これら以外の弁は閉状態である。この間タンクＴのオフガスを改質器の燃料として供給したが、改質器におけるバーナの燃焼状態を悪化させてしまった。
【００２１】
そこで、各吸着塔の工程が切り替わるときのタンクＴからの出口側導管中の圧力、すなわちタンク下流側の圧力を圧力計ＰＩＣＡにより計測したところ約０．２ｋｇ/ｃｍ2Ｇであった。この最小圧力を基準設定圧力として、ＰＩＣＡで計測される圧力値だけを瞬時に設定圧力と比較して、実圧力が該設定圧力よりも大きければオフガス流量調整バルブＺの開度を、該バルブの全開を１００とした時に対して、０．１％刻みで開ける方向に制御し、実圧力が該設定値よりも小さければオフガス流量調整バルブＺの開度を、該バルブの全開を１００とした時に対して、０．１％刻みで閉じる方向に制御した。これにより改質器バーナへ供給するオフガスの圧力変動が抑えられ、バーナの燃焼状態に変化はなかった。
【００２２】
（２）Ａ塔＝吸着、Ｂ塔＝均圧、Ｃ塔＝均圧
Ａ塔での吸着操作を続けながら、弁Ｂ４、Ｘ、Ｃ３は開のままとし、弁Ｃ５を開から閉へ切り替えて、Ｂ塔での減圧工程とＣ塔でのパージ工程を均圧工程に切り替え、この工程を所定時間保持した。
【００２３】
（３）Ａ塔＝吸着、Ｂ塔＝ブローダウン、Ｃ塔＝昇圧
均圧工程後、同じくＡ塔での吸着操作を続けながら、弁Ｂ４を開から閉に切り替え、弁Ｂ５を開へ切り替えてＢ塔での均圧工程をブローダウン工程へ切り替えるとともに、弁Ｗ、Ｃ４を閉に切り替え、弁Ｗ、Ｃ３を開としてＣ塔での均圧工程を精製水素による昇圧工程へ切り替えた。Ｂ塔でのブローダウン工程からのオフガスは弁Ｙの開度を一定としてタンクＴへ供給した。この間タンクＴのオフガスを流量調整バルブＺを一定として改質器の燃料として供給したが、改質器におけるバーナの燃焼状態を不安定にし悪化させてしまった。
【００２４】
そこで、最小圧力約０．２ｋｇ/ｃｍ2Ｇを基準設定圧力として、ＰＩＣＡで計測される圧力値だけを瞬時に設定圧力と比較して、実圧力が該設定圧力よりも大きければオフガス流量調整バルブＺの開度を０．１％刻みで開ける方向に制御し、実圧力が該設定値よりも小さければオフガス流量調整バルブＺの開度を０．１％刻みで閉じる方向に制御した。これにより改質器バーナへ供給するオフガスの圧力変動が抑えられ、バーナの燃焼状態に変化はなかった。
【００２５】
Ａ塔での吸着操作をＣ塔での吸着操作に切り替え、上記（１）〜（３）と同様にして操作し、Ａ塔でのブローダウン時、Ｂ塔でのパージ（Ａ塔で減圧しながらこれに連なるＢ塔でパージ）に、最小圧力約０．２ｋｇ/ｃｍ2Ｇを基準設定圧力として、ＰＩＣＡで計測される圧力値だけを瞬時に設定圧力と比較して、実圧力が該設定圧力よりも大きければオフガス流量調整バルブＺの開度を０．１％刻みで開ける方向に制御し、実圧力が該設定値よりも小さければオフガス流量調整バルブＺの開度を０．１％刻みで閉じる方向に制御した。これにより改質器バーナへ供給するオフガスの圧力変動が抑えられ、バーナの燃焼状態に変化はなかった。
【００２６】
さらに、Ｃ塔での吸着操作をＢ塔での吸着操作に切り替え、上記と同様にしてＣ塔でのブローダウン時、Ａ塔でのパージ（Ｃ塔で減圧しながら、これに連なるＢ塔でパージ）に、最小圧力約０．２ｋｇ/ｃｍ2Ｇを基準設定圧力として、ＰＩＣＡで計測される圧力値だけを瞬時に設定圧力と比較して、実圧力が該設定圧力よりも大きければオフガス流量調整バルブＺの開度を０．１％刻みで開ける方向に制御し、実圧力が該設定値よりも小さければオフガス流量調整バルブＺの開度を０．１％刻みで閉じる方向に制御した。これにより改質器バーナへ供給するオフガスの圧力変動が抑えられ、バーナの燃焼状態に変化はなかった。
【００２７】
【発明の効果】
本発明によれば、水素精製用３塔式ＰＳＡ装置におけるオフガスタンクからのオフガスの圧力変動を抑えることができ、これにより、該オフガスを改質器の燃料として供給するに際してバーナの燃焼状態を安定化させることができる。この効果はオフガスタンク下流側のオフガス流量調整バルブの開度を予め設定された基準値に対して微小刻みで増減させるだけで得られるため、装置構成上も非常に有利である。
【図面の簡単な説明】
【図１】３塔式ＰＳＡ装置における各吸着塔の工程フロー及び運転シーケンスの概略を示す図。
【図２】本発明によるオフガスタンクからのオフガス圧力制御の態様を示す図。
【図３】本発明による制御を行った場合のオフガスの圧力変動の経時的経過を示した図。
【図４】実施例において使用した装置の概略を示す図。
【符号の説明】
ＰＩＣＡ  圧力計
ＦＩ  流量計
Ａ〜Ｃ  吸着塔
Ｔ  オフガスタンク
Ｆ  バーナ燃料ガス導管
Ｋ  バーナ燃焼用空気導管
【図１】
0003856987.tif 000002
【図２】
0003856987.tif 000003
【図３】
0003856987.tif 000004
【図４】
0003856987.tif 000005